(57)【要約】【課題】印刷装置の機種と印刷メディアの組み合わせごとの、設定項目に設定すべき設定値の管理を簡素化すると共に、設定項目への設定値の設定を簡易化する。【解決手段】印刷装置３の機種と印刷対象となる印刷メディアとの組み合わせに対応する設定値を、印刷装置３の設定項目について設定し、印刷を実行する情報処理システム１であって、設定項目に設定可能な設定値の候補を、それぞれに対応する抽象化表現情報と対応付けて記憶する設定値テーブルを有し、印刷装置３の設定項目に設定値を設定する場合、抽象化表現情報を含む印刷メディア情報に基づいて、設定値テーブルを利用して、設定項目に対応する設定値を決定し、決定した設定値を設定項目に設定する情報処理システム１。【選択図】図１
2018140551.tif 000002
【特許請求の範囲】
【請求項１】
印刷装置の機種と印刷対象となる印刷メディアとの組み合わせに対応する設定値を、印刷装置の設定項目について設定し、印刷を実行する情報処理システムであって、
前記設定項目に設定可能な前記設定値の候補を、それぞれに対応する抽象化表現情報と対応付けて記憶する設定値テーブルを有し、
前記印刷装置の前記設定項目に前記設定値を設定する場合、前記抽象化表現情報を含む印刷メディア情報に基づいて、前記設定値テーブルを利用して、前記設定項目に対応する前記設定値を決定し、決定した前記設定値を前記設定項目に設定する情報処理システム。
【請求項２】
前記抽象化表現情報は、前記設定項目ごとに、前記設定値の各候補に対して形容が異なる言葉が割り振られたものであり、
前記印刷メディア情報は、前記設定項目ごとに、印刷装置の機種と印刷メディアとの組み合わせについて設定すべき前記設定値に対応する前記言葉を有しており、
前記印刷メディア情報を構成する前記言葉から、前記設定値テーブルを利用して前記設定値を特定することにより、前記設定項目に対応する前記設定値を決定する請求項１に記載の情報処理システム。
【請求項３】
前記言葉は、前記設定項目に前記設定値を設定した場合における前記設定項目の状態の程度を文言によって形容したものである請求項２に記載の情報処理システム。
【請求項４】
前記抽象化表現情報は、前記設定項目ごとに、前記設定値の各候補に対して異なる文字で表現されたインデックスが割り振られたものであり、
前記印刷メディア情報は、前記設定項目ごとに、印刷装置の機種と印刷メディアとの組み合わせについて設定すべき前記設定値に対応する前記インデックスを有しており、
前記印刷メディア情報を構成する前記インデックスから、前記設定値テーブルを利用して前記設定値を特定することにより、前記設定項目に対応する前記設定値を決定する請求項１に記載の情報処理システム。
【請求項５】
前記抽象化表現情報は、前記設定項目ごとに、前記設定値の各候補に対して形容が異なる言葉が割り振られたものと、前記設定項目ごとに、前記設定値の各候補に対して異なる文字で表現されたインデックスが割り振られたものとを含み、
前記印刷メディア情報は、前記設定項目ごとに、印刷装置の機種と印刷メディアとの組み合わせについて設定すべき前記設定値に対応する前記インデックスを有しており、
前記設定値テーブルは、前記言葉と対応付けて前記設定値を記憶し、
前記インデックスと対応づけて前記言葉を記憶する抽象化表現対応テーブルを有し、
前記印刷メディア情報を構成する前記インデックスから、前記抽象化表現対応テーブルを利用して前記言葉を特定し、前記設定値テーブルを利用して、特定した前記言葉に対応する前記設定値を特定することにより、前記設定項目に対応する前記設定値を決定する請求項１に記載の情報処理システム。
【請求項６】
前記言葉は、前記設定項目に前記設定値を設定した場合における前記設定項目の状態の程度を文言によって形容したものである請求項５に記載の情報処理システム。
【請求項７】
前記抽象化表現対応テーブルは、前記印刷装置とネットワークを介して通信可能な装置が有する請求項５又は６に記載の情報処理システム。
【請求項８】
前記設定値テーブルは、前記印刷装置が有する請求項１から７のいずれか１項に記載の情報処理システム。
【請求項９】
前記印刷メディア情報は、前記印刷メディアに読み取り可能な状態で記録されている請求項１から８のいずれか１項に記載の情報処理システム。
【請求項１０】
前記印刷メディア情報は、前記印刷メディアの構成要素のうち、前記印刷装置により消費されない構成要素に取り付けられたＩＣタグに記録されている請求項９に記載の情報処理システム。
【請求項１１】
前記印刷メディア情報は、前記印刷装置とグローバルネットワークを介して通信可能なサーバーが有する請求項１から１０のいずれか１項に記載の情報処理システム。
【請求項１２】
前記抽象化表現情報から前記設定値を決定し、決定した前記設定値を前記設定項目に設定する処理は、前記印刷メディアが前記印刷装置に装着されたタイミングで行われる請求項１から１１のいずれか１項に記載の情報処理システム。
【請求項１３】
前記抽象化表現情報から前記設定値を決定し、決定した前記設定値を前記設定項目に設定する処理は、前記印刷メディアが前記印刷装置に装着された上で、印刷が行われる際に行われる請求項１から１１のいずれか１項に記載の情報処理システム。
【請求項１４】
前記設定項目には、前記印刷装置による前記印刷メディアへの印刷に供する機構に関する項目が含まれる請求項１から１３のいずれか１項に記載の情報処理システム。
【請求項１５】
前記設定項目には、前記印刷装置へ出力する印刷データを生成する画像処理装置が、前記印刷データを生成する際に実行する画像処理に関する項目が含まれる請求項１から１４のいずれか１項に記載の情報処理システム。
【請求項１６】
印刷装置の機種と印刷対象となる印刷メディアとの組み合わせに対応する設定値を、印刷装置の設定項目について設定し、印刷を実行する情報処理システムの制御方法であって、
印刷メディア情報から抽象化表現情報を取得するステップと、
前記設定項目に設定可能な前記設定値の候補を、それぞれに対応する抽象化表現情報と対応付けて記憶する設定値テーブルを利用して、前記設定項目に対応する前記設定値を決定するステップと、
決定した前記設定値を前記設定項目に設定するステップと、
を含む情報処理システムの制御方法。
【請求項１７】
印刷メディアに印刷する印刷装置であって、
前記印刷メディアに関する設定項目に設定可能な設定値の候補を、それぞれに対応する抽象化表現情報と対応付けて記憶する設定値テーブルを有し、
前記設定項目に設定すべき前記設定値に対応する前記抽象化表現情報を含む印刷メディア情報に基づいて、前記設定値テーブルを利用して前記設定値を決定し、
決定した前記設定値を前記設定項目に設定して印刷を行う印刷装置。
【請求項１８】
印刷装置の設定項目に設定すべき設定値を抽象化して表現した抽象化表現情報を含んで構成された印刷メディア情報を、読み取り可能な状態でＩＣタグに記録している印刷メディア。
【発明の詳細な説明】
【技術分野】
【０００１】
本発明は、情報処理システム、情報処理システムの制御方法、印刷装置、及び、印刷メディアに関する。
【背景技術】
【０００２】
従来、異なる種類の印刷メディア（用紙）を印刷対象とすることが可能な印刷装置（画像形成装置）について、印刷に関する設定項目（機械動作パラメーター）に対して設定値を設定し、印刷装置が、設定項目に設定された設定値に基づいて、印刷（画像形成）を実行するシステムが知られている（例えば、特許文献１参照）。
【先行技術文献】
【特許文献】
【０００３】
【特許文献１】特開２０１５−１４５９４０号公報
【発明の概要】
【発明が解決しようとする課題】
【０００４】
ここで、特許文献１に記載の印刷装置のように異なる種類の印刷メディアを印刷対象とすることが可能な印刷装置では、設定項目に設定すべき適切な設定値は、印刷装置の機種と、印刷装置が印刷対象とする印刷メディアとの組み合わせによって異なる。そして、印刷装置の機種、及び、印刷メディアは、それぞれ、数多く存在し、また、今後も増大するものと想定されるため、印刷装置の機種と印刷メディアとの組み合わせごとの、設定項目に設定すべき設定値に関する情報の管理が複雑化すると共に、設定項目への設定値の設定が困難化する傾向にある。
本発明は、上述した事情に鑑みてなされたものであり、印刷装置の機種と印刷メディアの組み合わせごとの、設定項目に設定すべき設定値に関する情報の管理を簡素化すると共に、設定項目への設定値の設定を簡易化することを目的とする。
【課題を解決するための手段】
【０００５】
上記目的を達成するために、本発明は、印刷装置の機種と印刷対象となる印刷メディアとの組み合わせに対応する設定値を、印刷装置の設定項目について設定し、印刷を実行する情報処理システムであって、前記設定項目に設定可能な前記設定値の候補を、それぞれに対応する抽象化表現情報と対応付けて記憶する設定値テーブルを有し、前記印刷装置の前記設定項目に前記設定値を設定する場合、前記抽象化表現情報を含む印刷メディア情報に基づいて、前記設定値テーブルを利用して、前記設定項目に対応する前記設定値を決定し、決定した前記設定値を前記設定項目に設定する。
本発明の構成によれば、印刷装置の設定項目への設定値の設定に関する情報として、印刷装置の機種と印刷メディアとの組み合わせごとに、設定項目に設定すべき具体的な設定値を管理する必要がなく、抽象化表現情報を含む印刷メディア情報を管理すればよいため、印刷装置の機種と印刷メディアの組み合わせごとの、設定項目に設定すべき設定値に関する情報の管理が簡素化する。また、設定項目への設定値の設定を、印刷メディア情報に基づいて、設定値テーブルを利用して行うことができるため、例えば、ユーザーが、設定項目ごとに具体的な設定値を入力するといった作業が必要なく、設定項目への設定値の設定が簡易化する。
【０００６】
また、本発明は、前記抽象化表現情報は、前記設定項目ごとに、前記設定値の各候補に対して形容が異なる言葉が割り振られたものであり、前記印刷メディア情報は、前記設定項目ごとに、印刷装置の機種と印刷メディアとの組み合わせについて設定すべき前記設定値に対応する前記言葉を有しており、前記印刷メディア情報を構成する前記言葉から、前記設定値テーブルを利用して前記設定値を特定することにより、前記設定項目に対応する前記設定値を決定する。
本発明の構成によれば、印刷メディア情報に基づいて、設定値テーブルを利用して、的確に、設定項目に対応する設定値を決定することができる。
【０００７】
また、本発明は、前記言葉は、前記設定項目に前記設定値を設定した場合における前記設定項目の状態の程度を文言によって形容したものである。
本発明の構成によれば、人間が言葉を認識したときに、言葉に対応する設定値を設定項目に設定した場合における設定項目の状態の程度を、直感的、感覚的に認識できる。
【０００８】
また、本発明は、前記抽象化表現情報は、前記設定項目ごとに、前記設定値の各候補に対して異なる文字で表現されたインデックスが割り振られたものであり、前記印刷メディア情報は、前記設定項目ごとに、印刷装置の機種と印刷メディアとの組み合わせについて設定すべき前記設定値に対応する前記インデックスを有しており、前記印刷メディア情報を構成する前記インデックスから、前記設定値テーブルを利用して前記設定値を特定することにより、前記設定項目に対応する前記設定値を決定する。
本発明の構成によれば、印刷メディア情報に基づいて、設定値テーブルを利用して、的確に、設定項目に対応する設定値を決定することができる。
【０００９】
また、本発明は、前記抽象化表現情報は、前記設定項目ごとに、前記設定値の各候補に対して形容が異なる言葉が割り振られたものと、前記設定項目ごとに、前記設定値の各候補に対して異なる文字で表現されたインデックスが割り振られたものとを含み、前記印刷メディア情報は、前記設定項目ごとに、印刷装置の機種と印刷メディアとの組み合わせについて設定すべき前記設定値に対応する前記インデックスを有しており、前記設定値テーブルは、前記言葉と対応付けて前記設定値を記憶し、前記インデックスと対応づけて前記言葉を記憶する抽象化表現対応テーブルを有し、前記印刷メディア情報を構成する前記インデックスから、前記抽象化表現対応テーブルを利用して前記言葉を特定し、前記設定値テーブルを利用して、特定した前記言葉に対応する前記設定値を特定することにより、前記設定項目に対応する前記設定値を決定する。
本発明の構成によれば、抽象化表現対応テーブル、及び、設定値テーブルを利用して、インデックスを含んで構成される印刷メディア情報に基づいて、的確に、印刷装置の設定項目に設定値を設定することができる。
【００１０】
また、本発明は、前記言葉は、前記設定項目に前記設定値を設定した場合における前記設定項目の状態の程度を文言によって形容したものである。
本発明の構成によれば、人間が言葉を認識したときに、言葉に対応する設定値を設定項目に設定した場合における設定項目の状態の程度を、直感的、感覚的に認識できる。
【００１１】
また、本発明は、前記抽象化表現対応テーブルは、前記印刷装置とネットワークを介して通信可能な装置が有する。
本発明の構成によれば、印刷装置とネットワークを介して通信可能な装置により、印刷装置の機種と、印刷メディアとの組み合わせごとの、インデックスと言葉との対応関係を集中的に管理できる。
【００１２】
また、本発明は、前記設定値テーブルは、前記印刷装置が有する。
本発明の構成によれば、印刷装置は、設定項目への設定値に際し、外部の装置にアクセスして必要な情報を取得する必要がなく、自身が記憶する設定値テーブルを利用して、設定項目への設定値を行うことができ、処理効率がよい。
【００１３】
また、本発明は、前記印刷メディア情報は、前記印刷メディアに読み取り可能な状態で記録されている。
本発明の構成によれば、印刷装置は、印刷メディアから印刷メディア情報を読み取ることにより、印刷メディア情報を取得することができる。これにより、例えば、印刷装置は、外部の装置にアクセスして印刷メディア情報を取得する必要がなく処理効率がよいと共に、ユーザーは印刷メディア情報を入力する等の作業を行う必要がなく、ユーザーの利便性が高い。
【００１４】
また、本発明は、前記印刷メディア情報は、前記印刷メディアの構成要素のうち、前記印刷装置により消費されない構成要素に取り付けられたＩＣタグに記録されている。
本発明の構成によれば、印刷装置は、印刷装置に実際に装着された印刷メディアに取り付けられたＩＣタグから、印刷メディア情報を的確に取得することができる。
【００１５】
また、本発明は、前記印刷メディア情報は、前記印刷装置とグローバルネットワークを介して通信可能なサーバーが有する。
本発明の構成によれば、サーバーは、必要に応じて、印刷メディア情報を、サーバーと通信可能な装置に提供することができる。
【００１６】
また、本発明は、前記抽象化表現情報から前記設定値を決定し、決定した前記設定値を前記設定項目に設定する処理は、前記印刷メディアが前記印刷装置に装着されたタイミングで行われる。
本発明の構成によれば、印刷装置に装着する印刷メディアが交換されたときに、印刷装置の設定項目に、交換後の印刷メディアに対応した適切な設定値を設定することができる。
【００１７】
また、本発明は、前記抽象化表現情報から前記設定値を決定し、決定した前記設定値を前記設定項目に設定する処理は、前記印刷メディアが前記印刷装置に装着された上で、印刷が行われる際に行われる。
本発明の構成によれば、印刷が行われる前に、印刷装置の設定項目に、実際に印刷が行われる印刷メディアに対応した適切な設定値を設定することができる。
【００１８】
また、本発明は、前記設定項目には、前記印刷装置による前記印刷メディアへの印刷に供する機構に関する項目が含まれる。
本発明の構成によれば、印刷装置による印刷メディアへの印刷に供する機構に関する項目について、的確に設定値を設定することができる。
【００１９】
また、本発明は、前記設定項目には、前記印刷装置へ出力する印刷データを生成する画像処理装置が、前記印刷データを生成する際に実行する画像処理に関する項目が含まれる。
本発明の構成によれば、画像処理装置が印刷データを生成する際に実行する画像処理に関する項目について、的確に設定値を設定することができる。
【００２０】
また、上記目的を達成するために、本発明は、印刷装置の機種と印刷対象となる印刷メディアとの組み合わせに対応する設定値を、印刷装置の設定項目について設定し、印刷を実行する情報処理システムの制御方法であって、印刷メディア情報から抽象化表現情報を取得するステップと、前記設定項目に設定可能な前記設定値の候補を、それぞれに対応する抽象化表現情報と対応付けて記憶する設定値テーブルを利用して、前記設定項目に対応する前記設定値を決定するステップと、決定した前記設定値を前記設定項目に設定するステップと、を含む。
本発明の構成によれば、印刷装置の設定項目への設定値の設定に関する情報として、印刷装置の機種と印刷メディアとの組み合わせごとに、設定項目に設定すべき具体的な設定値を管理する必要がなく、抽象化表現情報を含む印刷メディア情報を管理すればよいため、印刷装置の機種と印刷メディアの組み合わせごとの、設定項目に設定すべき設定値に関する情報の管理が簡素化する。また、設定項目への設定値の設定を、印刷メディア情報に基づいて、設定値テーブルを利用して行うことができるため、例えば、ユーザーが、設定項目ごとに具体的な設定値を入力するといった作業が必要なく、設定項目への設定値の設定が簡易化する。
【００２１】
また、上記目的を達成するために、本発明は、印刷メディアに印刷する印刷装置であって、前記印刷メディアに関する前記設定項目に設定可能な前記設定値の候補を、それぞれに対応する抽象化表現情報と対応付けて記憶する設定値テーブルを有し、前記設定項目に設定すべき前記設定値に対応する前記抽象化表現情報を含むメディア情報に基づいて、前記設定値テーブルを利用して前記設定値を決定し、決定した前記設定値を前記設定項目に設定して印刷を行う印刷装置。
本発明の構成によれば、印刷装置の機種と印刷メディアの組み合わせごとの、設定項目に設定すべき設定値に関する情報の管理が簡素化すると共に、設定項目への設定値の設定が簡易化する。
【００２２】
また、上記目的を達成するために、本発明の印刷メディアは、印刷装置の設定項目に設定すべき設定値を抽象化して表現した抽象化表現情報を含んで構成された印刷メディア情報を、読み取り可能な状態でＩＣタグに記録している。
本発明の構成によれば、印刷装置の機種と印刷メディアの組み合わせごとの、設定項目に設定すべき設定値に関する情報の管理が簡素化すると共に、設定項目への設定値の設定が簡易化する。
【図面の簡単な説明】
【００２３】
【図１】第１実施形態に係る情報処理システムの構成を示す図。
【図２】メディアサーバーの機能的構成を示すブロック図。
【図３】印刷システムが備える装置の機能的構成を示すブロック図。
【図４】端末、メディアサーバーの動作を示すフローチャート。
【図５】機種入力画面を示す図。
【図６】印刷メディア情報登録画面を示す図。
【図７】印刷メディア情報を示す図。
【図８】メディアリストを示す図。
【図９】登録完了通知画面を示す図。
【図１０】画像処理装置、印刷装置、制御装置の動作を示すフローチャート。
【図１１】メディアテーブルを示す図。
【図１２】設定処理の詳細を示すフローチャート。
【図１３】設定値テーブルを示す図。
【図１４】第２実施形態に係る印刷メディア情報を示す図。
【図１５】設定値テーブルを示す図。
【図１６】抽象化表現対応テーブルを示す図。
【発明を実施するための形態】
【００２４】
以下、図面を参照して本発明の実施形態について説明する。
【００２５】
＜第１実施形態＞
図１は、本実施形態に係る情報処理システム１の構成を示す図である。
図１に示すように、情報処理システム１は、インターネット、電話網、その他の通信網を含むグローバルネットワークＧＮに接続された複数の印刷システム２を備える。印刷システム２は、印刷装置３による印刷が行われる施設に設けられたシステムである。印刷システム２が設けられる施設は、例えば、顧客からの依頼に応じて印刷装置３により印刷を行って印刷物を生成し、生成した印刷物を提供するサービスを行う会社の工場である。
以下の説明では、印刷装置３を使用する者を総称して、「ユーザー」と表現する。
【００２６】
印刷システム２は、ローカルエリアネットワークＬＮａを備える。ローカルエリアネットワークＬＮａは、印刷システム２が設けられた施設に構築されたコンピューターネットワークである。
ローカルエリアネットワークＬＮａには、通信装置４ａが接続される。通信装置４ａは、ローカルエリアネットワークＬＮａと、グローバルネットワークＧＮとを接続するインターフェース装置である。通信装置４ａは、モデム（又は、ＯＮＵ（Optical Network Unit））に係る機能、ルーター機能、ＮＡＴ（Network Address Translation）機能、及び、ＤＨＣＰ（Dynamic Host Configuration Protocol）サーバー機能等を有する。通信装置４ａは、ローカルエリアネットワークＬＮａに接続された機器と、グローバルネットワークＧＮに接続された機器との間で行われる通信に際し、機器間で送受信されるデータを転送する。なお、図１では、通信装置４ａを１つのブロックで表現するが、通信装置４ａは、機能に応じた複数の装置を有する構成でもよい。
【００２７】
ローカルエリアネットワークＬＮａには、複数の印刷装置３が接続される。印刷装置３は、印刷メディアが装着され、装着された印刷メディアに印刷する機能を有する装置である。印刷メディアは、紙媒体の用紙に限らず、フィルムや、繊維等の印刷装置３に装着可能であり、印刷装置３が印刷を行うことが可能な媒体を意味する。印刷装置３の構成、機能、及び、処理については後に詳述する。
なお、印刷装置３に印刷メディアが装着されるとは、印刷装置３が印刷メディアを印刷対象として印刷可能な状態となることを意味し、印刷メディアのタイプ（単票紙や、ロール紙等。）によって、その態様は異なる。
ローカルエリアネットワークＬＮａには、制御装置５、及び、画像処理装置６が接続される。これら装置の構成、機能、及び、処理については後に詳述する。
【００２８】
図１に示すように、情報処理システム１は、グローバルネットワークＧＮに接続されたメディアサーバー８（サーバー）を備える。メディアサーバー８は、少なくとも、印刷装置３、制御装置５、及び、後述する端末１１をクライアントとして、これら装置と通信可能なサーバー装置である。なお、図１では、メディアサーバー８を、１つのブロックによって表現するが、これはメディアサーバー８が単一のサーバー装置により構成されることを意味するものではない。例えば、メディアサーバー８は、複数のサーバー装置を含んで構成されたものでもよい。すなわち、メディアサーバー８は、後述する処理を実行可能であれば、どのような構成であってもよい。メディアサーバー８の構成、機能、及び、処理については後に詳述する。
【００２９】
図１に示すように、情報処理システム１は、グローバルネットワークＧＮに接続された複数のメディア提供システム１０を備える。メディア提供システム１０は、印刷メディアを提供する主体が管理する施設に設けられたシステムである。印刷メディアを提供する主体は、例えば、印刷メディアを製造し、販売するベンダーである。印刷メディアを提供する主体が管理する施設は、例えば、上記ベンダーのオフィスである。以下、印刷メディアを提供する主体を、便宜的に、「メディア提供者」という。メディア提供者は、印刷メディアを提供する組織、及び、組織に属する人間のいずれも含む概念である。
【００３０】
メディア提供システム１０は、ローカルエリアネットワークＬＮｂを備える。ローカルエリアネットワークＬＮｂは、メディア提供システム１０が設けられた施設に構築されたコンピューターネットワークである。ローカルエリアネットワークＬＮｂには、通信装置４ｂが接続される。通信装置４ｂは、通信装置４ａと同等の機能を有する装置である。
ローカルエリアネットワークＬＮｂには、複数の端末１１が接続される。端末１１は、液晶表示パネル等の表示手段、マウスや、キーボード等の入力手段を少なくとも備えるコンピューターである。端末１１には、ブラウザーがインストールされている。端末１１は、メディア提供者が使用する。
【００３１】
図２は、メディアサーバー８の機能的構成を示すブロック図である。
図２に示すように、メディアサーバー８は、サーバー制御部２０と、サーバー通信部２１と、サーバー記憶部２２とを備える。
サーバー制御部２０は、ＣＰＵや、ＲＯＭ、ＲＡＭ、ＡＳＩＣ、信号処理回路等を備え、メディアサーバー８の各部を制御する。サーバー制御部２０は、例えばＣＰＵが、ＲＯＭや後述するサーバー記憶部２２等に記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
サーバー通信部２１は、サーバー制御部２０の制御で、グローバルネットワークＧＮと接続する装置と所定の通信規格に従って通信する。
サーバー記憶部２２は、不揮発性メモリーを含んで構成される記憶装置を備え、各種データを記憶する。サーバー記憶部２２は、メディアリスト２２ａと、カラープロファイル管理データベース２２ｂとを記憶する。メディアリスト２２ａ、及び、カラープロファイル管理データベース２２ｂについては後述する。
【００３２】
図３は、印刷システム２が備える装置の機能的構成を示すブロック図である。
【００３３】
制御装置５は、ローカルエリアネットワークＬＮａにおいて、画像処理装置６、及び、印刷装置３をクライアントとするサーバーとして機能するコンピューターである。
図３に示すように、制御装置５は、制御装置制御部３０と、制御装置通信部３１と、制御装置記憶部３２とを備える。
制御装置制御部３０は、ＣＰＵや、ＲＯＭ、ＲＡＭ、ＡＳＩＣ、信号処理回路等を備え、制御装置５の各部を制御する。制御装置制御部３０は、例えばＣＰＵが、ＲＯＭや後述する制御装置記憶部３２等に記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
制御装置通信部３１は、制御装置制御部３０の制御で、ローカルエリアネットワークＬＮａ、及び、グローバルネットワークＧＮと接続する装置と所定の通信規格に従って通信する。
制御装置記憶部３２は、ＥＥＰＲＯＭ等の不揮発性メモリーを備え、各種データを記憶する。制御装置記憶部３２は、メディアテーブル３２ａと、カラープロファイルテーブル３２ｂとを記憶する。これらデータについては後述する。
制御装置５には、印刷管理プログラム３２ｃがインストールされる。制御装置制御部３０は、印刷管理プログラム３２ｃを読み出して実行し、印刷管理プログラム３２ｃの機能によって、後述する各種処理を実行する。
【００３４】
印刷装置３は、異なる種類の印刷メディアが装着可能であり、装着された印刷メディアに、インクジェットヘッドによりインクを吐出してドットを形成し、画像を印刷するインクジェットプリンターである。
特に、本実施形態に係る印刷装置３は、いわゆるＬＦＰ（Large Format Printer）であり、印刷メディアとして、大型の媒体を装着可能である。一例として、印刷装置３には、印刷メディアとして、単票紙の場合は「Ａ０」サイズの用紙を装着可能であり、また、ロール紙の場合は用紙幅が「９００ミリ」を超える用紙を装着可能である。
図３に示すように、印刷装置３は、印刷装置制御部４０と、印刷装置通信部４１と、印刷装置記憶部４２と、読取部４３と、印刷部４４とを備える。
印刷装置制御部４０は、ＣＰＵや、ＲＯＭ、ＲＡＭ、ＡＳＩＣ、信号処理回路等を備え、印刷装置３の各部を制御する。印刷装置制御部４０は、例えばＣＰＵが、ＲＯＭや後述する印刷装置記憶部４２等に記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
印刷装置通信部４１は、印刷装置制御部４０の制御で、ローカルエリアネットワークＬＮａ、及び、グローバルネットワークＧＮと接続する装置と所定の通信規格に従って通信する。
印刷装置記憶部４２は、ＥＥＰＲＯＭ等の不揮発性メモリーを備え、各種データを記憶する。印刷装置記憶部４２は、設定値テーブル４２ａ、及び、設定ファイル４２ｂを記憶する。設定値テーブル４２ａ、及び、設定ファイル４２ｂについては後述する。
印刷装置３には、ファームウェア４２ｃがインストールされる。印刷装置制御部４０は、ファームウェア４２ｃを読み出して実行し、ファームウェア４２ｃの機能により、後述する各種処理を実行する。
【００３５】
読取部４３は、ＩＣタグとの間で無線信号を送受信するアンテナと、ＲＦ回路とを有する読取装置を備え、ＩＣタグと所定の通信規格に従って通信し、ＩＣタグからデータを読み出す。読取部４３によるデータの読み取りの対象となるＩＣタグは、ＩＣタグが有するアンテナに誘起される電力によりＩＣタグが有するＩＣを駆動する受動型のＩＣタグである。
印刷部４４は、印刷装置３に装着された印刷メディアにインクを吐出してドットを形成するインクジェットヘッドや、インクジェットヘッドに対向する位置に設けられて印刷メディアを支持するプラテン、インクジェットヘッドとプラテンに位置する印刷メディアとの距離を適正に保つための吸引ファン、インクジェットヘッドを走査するキャリッジ、印刷メディアを搬送する搬送機構、搬送機構により搬送される印刷メディアに作用するテンションを調整するテンション機構、インクが付着した印刷メディアを乾燥するヒーター等を備える。印刷装置制御部４０は、印刷部４４を制御して、印刷装置３に装着された印刷メディアに画像を印刷する。
【００３６】
印刷装置３は、複数の印刷モードを備える。印刷モードは、印刷解像度と、パス数との組み合わせごとに存在する。パス数とは、印刷メディアへの印刷に際し、印刷メディアにおける同一の領域に画像を印刷するときに行われるインクジェットヘッドのパスの回数を意味する。印刷解像度、及び、パス数は、ユーザーにより設定可能であり、印刷解像度、及び、パス数が設定されることにより、印刷モードが決定する。
【００３７】
画像処理装置６は、印刷装置３との関係でホストコンピューターとして機能するコンピューターである。
図３に示すように、画像処理装置６は、画像処理装置制御部５０と、画像処理装置通信部５１と、画像処理装置記憶部５２とを備える。
画像処理装置制御部５０は、ＣＰＵや、ＲＯＭ、ＲＡＭ、ＡＳＩＣ、信号処理回路等を備え、画像処理装置６の各部を制御する。画像処理装置制御部５０は、例えばＣＰＵが、ＲＯＭや後述する画像処理装置記憶部５２等に記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
画像処理装置通信部５１は、画像処理装置制御部５０の制御で、ローカルエリアネットワークＬＮａ、及び、グローバルネットワークＧＮと接続する装置と所定の通信規格に従って通信する。
画像処理装置記憶部５２は、ＥＥＰＲＯＭ等の不揮発性メモリーを備え、各種データを記憶する。
画像処理装置６には、画像処理プログラム５２ａがインストールされる。画像処理装置制御部５０は、画像処理プログラム５２ａを読み出して実行し、画像処理プログラム５２ａの機能により、後述する各種処理を実行する。
【００３８】
画像処理プログラム５２ａは、印刷装置３に印刷させる画像のラスターデータを生成するＲＩＰ（Raster image Processor）ソフトウェアを含む。ラスターデータは、ドットマトリックス状に配置されたドットのそれぞれについて、印刷装置３が吐出可能なインクの色（例えば、シアン（Ｃ）、マゼンダ（Ｍ）、イエロー（Ｙ）、ブラック（Ｋ）。）のそれぞれの度合いを所定階調の階調値として保持するデータである。
画像処理装置制御部５０は、ＲＩＰソフトウェアの機能により、カラーカラープロファイルを用いてラスターデータを生成する。カラープロファイルとしては例えばＩＣＣ（International Color Consortium）プロファイルが広く用いられている。ラスターデータを生成する際に用いるカラープロファイルとして適切なものは、ラスターデータに基づいて印刷を実行させる印刷装置３の機種と、印刷装置３が印刷対象とする印刷メディアと、印刷装置３の印刷モードとの組み合わせによって異なる。
【００３９】
ところで、上述したように、印刷装置３の印刷装置記憶部４２は、設定ファイル４２ｂを記憶する。設定ファイル４２ｂとは、設定項目を識別する情報（以下、「設定項目識別情報」という。）と、設定項目に設定された設定値とが対応付けて記述されたファイルである。設定項目は、印刷装置３による印刷メディアへの印刷に供する機構に関する項目を含む。本実施形態では、設定項目として、プラテンギャップ項目と、テンション項目と、吸引力項目と、ヒーター温度項目とが存在する。
【００４０】
プラテンギャップ項目は、インクジェットヘッドとプラテンとの離間距離（以下、「プラテンギャップ」という。）に関する設定項目である。プラテンギャップが取り得る範囲は、印刷装置３の機種によって異なる。プラテンギャップ項目に設定される設定値は、プラテンギャップを示す値である。
テンション項目は、テンション機構により印刷メディアに作用させるテンション（以下、単に、「テンション」という。）に関する設定項目である。本実施形態では、テンションの度合いが、レベルによって段階的に表される。レベルの段階数は、印刷装置３の機種によって異なる。テンション項目に設定される設定値は、テンションのレベルである。
吸引力項目は、吸引ファンの吸引力に関する設定項目である。本実施形態では、吸引ファンの吸引力の度合いが、レベルによって段階的に表される。レベルの段階数は、印刷装置３の機種によって異なる。吸引力項目に設定される設定値は、吸引ファンの吸引力のレベルである。
ヒーター温度項目は、ヒーターの温度に関する設定項目である。ヒーターの温度が取り得る範囲は、印刷装置３の機種によって異なる。ヒーター温度項目に設定される設定値は、ヒーターの温度を示す値である。
なお、本実施形態で説明する設定項目は、説明を単純化するための一例であり、例示した設定項目に加えて、又は、例示した設定項目の少なくとも一部に代えて、他の設定項目が存在してもよい。設定項目としては、例えば、搬送機構が印刷メディアを搬送するときの搬送速度に関する設定項目や、インクジェットヘッドのクリーニングの頻度に関する設定項目等がある。
【００４１】
印刷装置３は、印刷メディアに印刷する場合、設定項目に設定された設定値を反映して、印刷を実行する。例えば、印刷装置３は、印刷メディアへの印刷に際し、プラテンギャップをプラテンギャップ項目に設定された設定値にし、テンションのレベルをテンション項目に設定された設定値にし、吸引ファンの吸引力のレベルを吸引力項目の設定値にし、ヒーターの温度をヒーター温度項目の設定値にした上で、印刷を実行する。
そして、設定項目に設定すべき適切な設定値は、印刷装置３の機種と、印刷装置３が印刷対象とする印刷メディアとの組み合わせによって異なる。印刷メディアによって特性（材質や、サイズ、強度等。）が異なり、また、印刷装置３の機種によって印刷装置３の仕様が異なるため、印刷装置３の機種と、印刷装置３に装着された印刷メディアとの組み合わせによって、どのような態様で印刷した場合に印刷品質が向上するかが異なるからである。
【００４２】
この点に関し、メディア提供者が、メディア提供者が提供する印刷メディアのそれぞれについて、印刷装置３の機種ごとに、設定項目に設定すべき適切な設定値を決定し、メディアリスト２２ａに登録することも可能である（メディアリスト２２ａへの登録に関しては後述する。）。この場合、印刷装置３の機種ごとに、設定項目のそれぞれについて具体的な設定値を決定し、登録する必要があり、メディア提供者の作業が煩雑化する可能性がある。また、情報処理システム１において、印刷装置３の機種と印刷メディアとの組み合わせごとに、設定項目のそれぞれの具体的な設定値を管理する必要があり、管理が複雑化する可能性がある。
この他、１の印刷メディアが、１の機種の印刷装置３の印刷対象となる場合に、設定項目に設定すべき適切な設定値を、ユーザーが直感的にイメージできるようにし、ユーザーの利便性を向上したいとするニーズがある。
以上を踏まえ、情報処理システム１の各装置は、以下の処理を実行する。
【００４３】
＜メディアリスト２２ａへの印刷メディア情報の登録が行われる場合の情報処理システム１の処理＞
まず、メディア提供者により、メディアリスト２２ａに印刷メディア情報（後述）が登録される場合の情報処理システム１の各装置の動作について説明する。
【００４４】
図４は、メディアリスト２２ａに印刷メディア情報を登録する場合の端末１１、及び、メディアサーバー８の動作を示すフローチャートである。図４のフローチャートＦＡは端末１１の動作を示し、フローチャートＦＢはメディアサーバー８の動作を示す。
図４のフローチャートを用いた説明では、メディア提供者が、メディア提供者が提供する特定の印刷メディアを特定の機種の印刷装置３が印刷対象とする場合に、当該特定の機種の印刷装置３の設定項目に設定すべき適切な設定値に関する印刷メディア情報を登録しようとしているものとする。
【００４５】
なお、詳細な説明は省略するが、メディアサーバー８と、他の装置との間では、既存の暗号化技術や、仮想専用線技術等により、セキュアな通信が行われる。また、メディアサーバー８は、他の装置からアクセスがあった場合に、必要に応じて適切に認証を行う。
【００４６】
図４のフローチャートＦＡに示すように、印刷メディア情報を登録する場合、メディア提供者は、端末１１のブラウザーを起動し、メディアサーバー８の所定のＵＲＬへのアクセスを指示する（ステップＳ１）。ＵＲＬは、所定の方法で、メディア提供者に事前に通知される。
メディア提供者の指示に応じて、端末１１は、対応するＨＴＴＰリクエストをメディアサーバー８に送信する（ステップＳＡ１）。
【００４７】
図４のフローチャートＦＢに示すように、メディアサーバー８のサーバー制御部２０は、サーバー通信部２１を制御して、ＨＴＴＰリクエストを受信する（ステップＳＢ１）。
次いで、サーバー制御部２０は、受信したＨＴＴＰに対して、機種入力画面Ｇ１（図５）を表示させるＨＴＭＬファイルを生成し、端末１１に送信する（ステップＳＢ２）。
【００４８】
図４のフローチャートＦＡに示すように、端末１１は、ＨＴＭＬファイルを受信する（ステップＳＡ２）。
次いで、端末１１は、受信したＨＴＭＬファイルに基づいて、表示手段に機種入力画面Ｇ１を表示する（ステップＳＡ３）。
【００４９】
図５は、機種入力画面Ｇ１を示す図である。
図５に示すように、機種入力画面Ｇ１は、印刷装置３の機種を識別する情報（以下、「機種識別情報」という。）を入力する入力欄Ｎ１を備える。入力欄Ｎ１は、プルダウンメニューとなっており、プルダウンメニューには、選択可能な機種の機種識別情報が項目として一覧表示され、プルダウンメニューに一覧表示された機種識別情報から、１つの機種識別情報を選択することにより、入力欄Ｎ１に機種識別情報を入力可能である。機種入力画面Ｇ１は、入力欄Ｎ１への入力を確定する確定ボタンＢＫ１を備える。
メディア提供者は、印刷メディア情報を登録する対象の印刷装置３の機種を示す機種識別情報を、機種入力画面Ｇ１に入力し、確定ボタンＢＫ１を操作する（ステップＳ２）。
以下、メディア提供者が入力欄Ｎ１に入力した機種識別情報が示す機種を「選択機種」という。
【００５０】
確定ボタンＢＫ１の操作に応じて、端末１１は、ＨＴＭＬファイルに実装されたスクリプトの機能により、メディア提供者に入力された機種識別情報を、メディアサーバー８に送信する（ステップＳＡ４）。
【００５１】
図４のフローチャートＦＢに示すように、メディアサーバー８のサーバー制御部２０は、サーバー通信部２１を制御して、機種識別情報を受信する（ステップＳＢ３）。
次いで、サーバー制御部２０は、受信した機種識別情報に基づいて、機種関連情報を取得し、取得した機種関連情報に基づいて、印刷メディア情報登録画面Ｇ２（図６）を表示させるＨＴＭＬファイルを生成し、端末１１に送信する（ステップＳＢ４）。機種関連情報とは、印刷メディア情報登録画面Ｇ２を表示させるＨＴＭＬファイルの生成に必要な情報である。機種関連情報は、機種識別情報と対応付けて、サーバー記憶部２２が記憶する所定のデータベースに登録されている。
【００５２】
図４のフローチャートＦＡに示すように、端末１１は、ＨＴＭＬファイルを受信する（ステップＳＡ５）。
次いで、端末１１は、受信したＨＴＭＬファイルに基づいて、表示手段に印刷メディア情報登録画面Ｇ２を表示する（ステップＳＡ６）。
【００５３】
図６は、印刷メディア情報登録画面Ｇ２を示す図である。
図６に示すように、印刷メディア情報登録画面Ｇ２は、印刷メディアを識別する情報（以下、「印刷メディア識別情報」という。）を入力する入力欄Ｎ２ａを備える。メディア提供者は、印刷メディア情報を登録する対象の印刷メディアの印刷メディア識別情報を入力欄Ｎ２ａに入力する。
以下、印刷メディア情報を登録する対象の印刷メディアを、適宜、「登録対象印刷メディア」という。
【００５４】
図６に示すように、印刷メディア情報登録画面Ｇ２は、プラテンギャップ項目に係る言葉情報を入力する入力欄Ｎ２ｂ、テンション項目に係る言葉情報を入力する入力欄Ｎ２ｃ、吸引力項目に係る言葉情報を入力する入力欄Ｎ２ｄ、及び、ヒーター温度項目に係る言葉情報を入力する入力欄Ｎ２ｅを備える。
以下、言葉情報について、プラテンギャップ項目を例にして、詳述する。
【００５５】
ここで、１の機種の印刷装置３のプラテンギャップについて、プラテンギャップが取り得る範囲が、「１．０ミリ」〜「９．０ミリ」であるものとする。この場合に、当該１の機種の印刷装置３のプラテンギャップ項目について、設定可能な設定値の候補が事前に定められている。本例では、当該１の機種の印刷装置３のプラテンギャップ項目に設定可能な設定値の候補として、「１．０ミリ」、「３．０ミリ」、「５．０ミリ」、「７．０ミリ」、「９．０ミリ」の５つの値が、事前に定められているものとする。
そして、設定値の候補のそれぞれに対して、言葉情報が事前に割り振られる。言葉情報は、設定値の候補を、抽象化して表現した言葉である。
本例においては、設定値の候補：「１．０ミリ」に対して言葉情報として「狭い」が割り振られ、設定値の候補：「３．０ミリ」に対して言葉情報として「やや狭い」が割り振られ、設定値の候補：「５．０ミリ」に対して言葉情報として「普通」が割り振られ、設定値の候補：「７．０ミリ」に対して言葉情報として「やや広い」が割り振られ、設定値の候補：「９．０ミリ」に対して言葉情報として「広い」が割り振られているものとする。
【００５６】
本例で示すように、言葉情報は、対応する設定値の候補を設定項目に設定した場合における設定項目の状態の程度を文言によって形容したものである。すなわち、言葉情報は、対応する設定値の候補を設定項目に設定した場合における設定項目の状態の程度を、人間が直感的、感覚的に認識できるような言葉とされる。また、設定値の候補のそれぞれには、形容の異なる言葉からなる言葉情報が割り振られる。
本例では、上述したように、設定値の候補：「１．０ミリ」に対して、言葉情報：「狭い」が割り振られる。ここで、プラテンギャップが取り得る範囲が「１．０ミリ」〜「９．０ミリ」であること、及び、他の設定値の候補のそれぞれに対して言葉情報：「やや狭い」、言葉情報：「普通」、言葉情報「やや広い」、言葉情報「広い」が割り振られていることを踏まえると、以下のことが言える。すなわち、言葉情報：「狭い」は、プラテン設定項目に、設定値「１．０ミリ」が設定された場合におけるプラテンギャップの状態（設定項目の状態）の程度を文言によって形容したものといえる。また、人間は、言葉情報：「狭い」を認識することにより、プラテンギャップ設定項目に、言葉情報：「狭い」に対応する設定値の候補が設定された場合に、プラテンギャップの状態が、比較的、狭くなることを直感的、感覚的に認識できる。
【００５７】
以上、プラテンギャップ項目を例にして、言葉情報を説明したが、本実施形態で例示する他の設定項目については、例えば、以下の言葉情報が割り振られる。
例えば、１の機種の印刷装置３のテンションのレベルとして、レベルＬ１〜レベルＬ９の９段階のレベルがあるものとする。なお、レベルＬ１からレベルＬ９に向かって、段階的にテンションが強くなる。また、当該１の機種の印刷装置３のテンション項目に設定可能な設定値の候補として、「レベルＬ１」、「レベルＬ３」、「レベルＬ５」、「レベルＬ７」、「レベルＬ９」の５つの値が、事前に定められているものとする。この場合において、例えば、設定値の候補：「レベルＬ１」に言葉情報：「弱い」が割り振られ、設定値の候補：「レベルＬ３」に言葉情報「やや弱い」が割り振られ、設定値の候補：「レベルＬ５」に言葉情報：「普通」が割り振られ、設定値の候補：「レベルＬ７」に言葉情報：「やや強い」が割り振られ、設定値の候補：「レベルＬ９」に言葉情報：「強い」が割り振られる。
【００５８】
また例えば、１の機種の印刷装置３の吸引力のレベルとして、レベルＬ１〜レベルＬ９の９段階のレベルがあるものとする。なお、レベルＬ１からレベルＬ９に向かって、段階的に吸引力が強くなる。また、当該１の機種の印刷装置３の吸引力項目に設定可能な設定値の候補として、「レベルＬ１」、「レベルＬ３」、「レベルＬ５」、「レベルＬ７」、「レベルＬ９」の５つの値が、事前に定められているものとする。この場合において、例えば、設定値の候補：「レベルＬ１」に言葉情報：「弱い」が割り振られ、設定値の候補：「レベルＬ３」に言葉情報「やや弱い」が割り振られ、設定値の候補：「レベルＬ５」に言葉情報：「普通」が割り振られ、設定値の候補：「レベルＬ７」に言葉情報：「やや強い」が割り振られ、設定値の候補：「レベルＬ９」に言葉情報：「強い」が割り振られる。
【００５９】
また例えば、１の機種の印刷装置３のヒーターの温度が取り得る範囲が、「３０℃」〜「７０℃」であるものとする。また、当該１の機種の印刷装置３のヒーター温度項目に設定可能な設定値の候補として、「３０℃」、「４０℃」、「５０℃」、「６０℃」、「７０℃」の５つの値が、事前に定められているものとする。この場合において、例えば、設定値の候補：「３０℃」に言葉情報：「冷たい」が割り振られ、設定値の候補：「４０℃」に言葉情報「やや冷たい」が割り振られ、設定値の候補：「５０℃」に言葉情報：「普通」が割り振られ、設定値の候補：「６０℃」に言葉情報：「やや熱い」が割り振られ、設定値の候補：「７０℃」に言葉情報：「熱い」が割り振られる。
【００６０】
言葉情報は、「抽象化表現情報」に相当する。
【００６１】
さて、図６に示すように、印刷メディア情報登録画面Ｇ２は、プラテンギャップ項目に係る言葉情報を入力する入力欄Ｎ２ｂを有する。入力欄Ｎ２ｂは、プルダウンメニューとなっている。入力欄Ｎ２ｂに係るプルダウンメニューには、選択機種（ユーザーが機種入力画面Ｇ１の入力欄Ｎ１に入力した機種識別情報が示す機種。）について、プラテンギャップ項目に設定可能な設定値の候補に割り振られた言葉情報のそれぞれが項目として一覧表示される。
メディア提供者は、入力欄Ｎ２ｂに係るプルダウンメニューに一覧表示された言葉情報の中から、プラテンギャップ項目に設定することが適切な設定値に対応する言葉情報を選択する。言葉情報の選択に応じて、入力欄Ｎ２ｂにメディア提供者が選択した言葉情報が入力される。なお、事前に、選択機種の印刷装置３による印刷メディアへの印刷に関するテストや、シミュレーション等が行われており、メディア提供者は、入力欄Ｎ２ｂに係るプルダウンメニューに一覧表示された言葉情報の中から、適切な言葉情報を選択する。
メディア提供者は、テンション項目に係る入力欄Ｎ２ｃ、吸引力項目に係る入力欄Ｎ２ｄ、ヒーター温度項目に係る入力欄Ｎ２ｅについても、それぞれの設定項目に設定することが適切な設定値に対応する言葉情報を入力する。
以上のように、メディア提供者は、印刷メディア情報の登録に際し、設定項目のそれぞれに設定すべき設定値を指定する際に、設定値の候補に割り振られた言葉情報を選択すればよく、具体的な設定値を入力する必要がない。このため、メディア提供者の利便性が高い。
【００６２】
図６に示すように、印刷メディア情報登録画面Ｇ２は、印刷装置３の印刷モードごとに、入力欄Ｎ２ｆを備える。入力欄Ｎ２ｆは、カラープロファイルインデックスを入力する入力欄である。カラープロファイルインデックスは、カラープロファイルを識別するために、カラープロファイルごとに割り振られたインデックスである。本実施形態では、カラープロファイルインデックスは、１文字のアルファベットからなる。カラープロファイルインデックスは、「印刷装置３へ出力するラスターデータ（印刷データ）を生成する画像処理装置６が、ラスターデータを生成する際に実行する画像処理に関する項目」に設定可能な設定値の候補に対応する「抽象化表現情報」に相当する。
入力欄Ｎ２ｆは、プルダウンメニューとなっている。１の印刷モードの入力欄Ｎ２ｆに係るプルダウンメニューには、選択機種の印刷装置３が当該１の印刷モードのときに、画像処理装置６が使用可能なカラープロファイルのそれぞれのカラープロファイルインデックスが、項目として一覧表示される。メディア提供者は、入力欄Ｎ２ｆのそれぞれについて、プルダウンメニューに一覧されたカラープロファイルインデックスから、１つのカラープロファイルを選択することにより、カラープロファイルインデックスを入力する。
【００６３】
図６に示すように、印刷メディア情報登録画面Ｇ２は、当該画面に設けられた入力欄に対する入力を確定する確定ボタンＢＫ２を備える。
メディア提供者は、印刷メディア情報登録画面Ｇ２の各入力欄に情報を入力し、確定ボタンＢＫ２を操作する（ステップＳ３）。
【００６４】
図４のフローチャートＦＡに示すように、確定ボタンＢＫ２の操作に応じて、端末１１は、ＨＴＭＬファイルに実装されたスクリプトの機能により、印刷メディア情報登録画面Ｇ２の各入力欄に入力された情報を、メディアサーバー８に送信する（ステップＳＡ７）。
【００６５】
図４のフローチャートＦＢに示すように、メディアサーバー８のサーバー制御部２０は、サーバー通信部２１を制御して、情報を受信する（ステップＳＢ５）。
次いで、サーバー制御部２０は、ステップＳＢ５で受信した情報に基づいて、印刷メディア情報を生成する（ステップＳＢ６）。
以下、印刷メディア情報について詳述する。
【００６６】
図７は、印刷メディア情報の一例を示す図である。
印刷メディア情報は、第１領域Ａ１と、第１領域Ａ１に続く第２領域Ａ２とを有する。
１の機種の印刷装置３と、１の印刷メディアとの組み合わせに対応する印刷メディア情報の第１領域Ａ１には、当該１の機種の印刷装置３の設定項目のそれぞれに対応する言葉情報が、区切文字で区切られて、予め定められた設定項目の順番で配列される。また、印刷メディア情報が有する言葉情報のそれぞれは、対応する設定項目に設定可能な設定値の候補のうち、設定項目に設定することが適切な候補に対応する言葉情報である。
図７で例示する印刷メディア情報の第１領域Ａ１には、プラテンギャップ項目、テンション項目、吸引力項目、ヒーター温度項目の順番で、各設定項目に対応する言葉情報が、区切文字（本実施形態では、文字：「／」。）で区切られて、配列されている。
【００６７】
また、１の機種の印刷装置３と、１の印刷メディアとの組み合わせに対応する印刷メディア情報の第２領域Ａ２には、当該１の機種の印刷装置３が備える印刷モードのそれぞれに対応するカラープロファイルインデックスが、区切文字で区切られて、予め定められた印刷モードの順番で配列される。また、印刷メディア情報が有するカラープロファイルインデックスのそれぞれは、印刷装置３が対応する印刷モードのときに、画像処理装置６が使用することが適切なカラープロファイルに対応するカラープロファイルインデックスである。
図７で例示する印刷メディア情報の第２領域Ａ２には、４つの印刷モードに対応するカラープロファイルインデックスが、予め定められた印刷モードの順番で、区切文字で区切られて、並んで配列されている。
【００６８】
ステップＳＢ６において、サーバー制御部２０は、ステップＳＢ５で受信した情報に基づいて、以下の処理を実行する。すなわち、ステップＳＢ５で受信した情報は、設定項目のそれぞれについてメディア提供者が選択した言葉情報を含む。サーバー制御部２０は、ステップＳＢ５で受信した情報に含まれる言葉情報を、選択機種ごとに定められた所定の順番で並べることにより、印刷メディア情報の第１領域Ａ１の部分を生成する。また、ステップＳＢ５で受信した情報は、印刷モードのそれぞれについてメディア提供者が選択したカラープロファイルインデックスを含む。サーバー制御部２０は、ステップＳＢ５で受信した情報に含まれるカラープロファイルインデックスを、選択機種ごとに定められた所定の順番で並べることにより、印刷メディア情報の第２領域Ａ２の部分を生成する。
ここで、メディア提供者が選択した言葉情報は、選択機種の印刷装置３と、登録対象印刷メディアとの組み合わせにおいて、設定項目に設定することが適切な設定値の候補に対応する言葉情報である。また、メディア提供者が選択したカラープロファイルインデックスは、選択機種の印刷装置３と、登録対象印刷メディアとの組み合わせにおいて、画像処理装置６が使用することが適切なカラープロファイルのカラープロファイルインデックスである。
【００６９】
以上のように、印刷メディア情報の第１領域Ａ１には、言葉情報が、予め定められた設定項目の順番に従って配列される。また、印刷メディア情報が含む言葉情報のそれぞれは、対応する設定項目について設定することが適切な設定値の候補に対応する言葉情報である。印刷メディア情報がこのような構成のため、以下の効果を奏する。すなわち、人間が、１の機種の印刷装置３と、１の印刷メディアとの組み合わせに印刷メディア情報を認識したときに、当該１の機種の印刷装置３の設定項目に設定すべき設定値の態様を、感覚的、直感的に認識でき、また、印刷メディアの特性（材質や、サイズ、強度等。）を推測することができる。また、印刷メディア情報は、言葉情報が予め定められた順番に従って配列されるという単純な構造のため、言葉情報を規格化し、言葉情報が並ぶ順番を規格化することによって、印刷メディア情報を規格化することができ、規格化に有利である。
【００７０】
図４のフローチャートＦＢに示すように、ステップＳＢ６で印刷メディア情報を生成した後、サーバー制御部２０は、生成した印刷メディア情報を、メディアリスト２２ａに登録する（ステップＳＢ７）。
メディアリスト２２ａは、印刷装置３の機種と、印刷メディアとの組み合わせごとに、レコードを有するデータベースである。
図８は、メディアリスト２２ａの１件のレコードの内容を示す図である。
図８に示すように、メディアリスト２２ａの１件のレコードは、機種識別情報と、印刷装置提供者識別情報と、印刷メディア識別情報と、印刷メディア情報とを有する。
印刷装置提供者識別情報とは、印刷装置３を製造し販売する企業（例えば、いわゆるプリンターメーカー。）等の、印刷装置３を提供する主体（以下、「印刷装置提供者」という。）を識別する情報である。
【００７１】
ステップＳＢ７において、サーバー制御部２０は、選択機種の機種識別情報と、選択機種の印刷装置３を提供する主体の印刷装置提供者識別情報と、登録対象印刷メディアの印刷メディア識別情報と、ステップＳＢ６で生成した印刷メディア情報とを有するレコードを、メディアリスト２２ａに登録する。なお、メディアサーバー８のサーバー記憶部２２には、印刷装置３の機種ごとに、機種識別情報と対応付けて、印刷装置３を提供する主体の印刷装置提供者識別情報が記憶されている。
このように、メディアリスト２２ａの１件のレコードは、印刷装置提供者識別情報を有する。これにより、メディアリスト２２ａのレコードから、所定のレコードを検索する場合に、印刷装置提供者識別情報をキーとして絞り込みを行うことが可能となり、検索の効率の向上、及び、利便性の向上が図られる。なお、メディアリスト２２ａの１件のレコードが機種識別情報とは独立して印刷装置提供者識別情報を有する構成に代えて、機種識別情報に、印刷装置提供者識別情報を含める構成でもよい。
ステップＳＢ７の処理により、メディアリスト２２ａへの印刷メディア情報の登録が完了する。
【００７２】
なお、以上のように、メディアサーバー８は、メディアリスト２２ａを記憶する。そして、メディアサーバー８を提供する主体は、単一の印刷装置提供者である必要はない。例えば、印刷装置提供者とは別の主体が、複数の異なる印刷装置提供者が提供する印刷装置３の機種に対応するメディアリスト２２ａを記憶するメディアサーバー８を提供する構成でもよい。
【００７３】
次いで、サーバー制御部２０は、登録完了通知画面Ｇ３（図９）を表示させるＨＴＭＬファイルを生成し、端末１１に送信する（ステップＳＢ８）。
【００７４】
図４のフローチャートＦＡに示すように、端末１１は、ＨＴＭＬファイルを受信する（ステップＳＡ８）。
次いで、端末１１は、受信したＨＴＭＬファイルに基づいて、表示手段に登録完了通知画面Ｇ３を表示する（ステップＳＡ９）。
【００７５】
図９は、登録完了通知画面Ｇ３を示す図である。
図９に示すように、登録完了通知画面Ｇ３には、印刷メディア情報、及び、印刷メディア情報の登録が完了したことを示す情報が表示される。メディア提供者は、登録完了通知画面Ｇ３を視認することにより、印刷メディア情報の内容、及び、印刷メディア情報の登録が完了したことを認識できる。
【００７６】
なお、詳細な説明は省略するが、メディア提供者は、任意のタイミングで、所定の方法で、メディアリスト２２ａに登録された印刷メディア情報の内容を変更することができ、また、メディアリスト２２ａに登録されたレコードのうち、特定の印刷メディア情報に対応するレコードを削除できる。
【００７７】
＜印刷装置３により印刷が行われる場合の情報処理システム１の処理＞
次に、印刷装置３により印刷が行われる場合の情報処理システム１の各装置の処理について説明する。
【００７８】
図１０は、印刷装置３による印刷が行われる場合の画像処理装置６、印刷装置３、及び、制御装置５の動作を示すフローチャートである。図１０のフローチャートＦＣは画像処理装置６の動作を示し、フローチャートＦＤは印刷装置３の動作を示し、フローチャートＦＥは制御装置５の動作を示す。
画像処理装置６は、フローチャートＦＣの処理を、画像処理プログラム５２ａを含むプログラム等のソフトウェアと、ＣＰＵ、その他のハードウェアとの協働により実行する。印刷装置３は、フローチャートＦＤの処理を、ファームウェア４２ｃを含むプログラム等のソフトウェアと、ＣＰＵ、その他のハードウェアとの協働により実行する。制御装置５は、フローチャートＦＥの処理を、画像処理プログラム５２ａを含むプログラム等のソフトウェアと、ＣＰＵ、その他のハードウェアとの協働により実行する。
【００７９】
図１０のフローチャートＦＣに示すように、印刷装置３による印刷を行う場合、ユーザーは、所定の方法で、画像処理装置６に対して、印刷の開始を指示する（ステップＳ４）。印刷の開始の指示に際し、ユーザーは、印刷を行わせる印刷装置３を指定する。本実施形態では、印刷装置３ごとに、印刷装置３を識別する識別情報（以下、「印刷装置識別情報」という。）が割り振られており、ユーザーは、所定の方法で、画像処理装置６に対して、印刷装置識別情報を指定する。印刷装置識別情報は、例えば、印刷装置３ごとに固有の情報（例えば、シリアル番号。）でもよく、また例えば、ローカルエリアネットワークＬＮａ内で印刷装置３を識別するために印刷装置３に付与された名称でもよい。
【００８０】
画像処理装置６の画像処理装置制御部５０は、ユーザーによる印刷の開始の指示に応じて、画像処理装置通信部５１を制御して、印刷の開始を通知する印刷開始通知情報を、ユーザーが指定した印刷装置３に送信する（ステップＳＣ１）。
なお、画像処理装置６の画像処理装置記憶部５２は、ローカルエリアネットワークＬＮａに接続された印刷装置３のそれぞれについて、印刷装置識別情報と対応付けて、印刷装置３と通信するために必要な情報（ＩＰアドレスや、通信に用いる通信プロトコルに関する情報等。）を記憶している。
【００８１】
図１０のフローチャートＦＤに示すように、印刷装置３の印刷装置制御部４０は、印刷装置通信部４１を制御して、印刷開始通知情報を受信する（ステップＳＤ１）。
印刷開始通知情報の受信に応じて、印刷装置制御部４０は、読取部４３を制御して、以下の処理を実行する（ステップＳＤ２）。すなわち、印刷装置制御部４０は、読取部４３を制御して、印刷装置３に装着された印刷メディアに、ＩＣタグが取り付けられているか否かを判別すると共に、ＩＣタグが取り付けられている場合には、ＩＣタグに印刷メディア情報が記録されているか否かを判別する。
【００８２】
ここで、メディア提供者は、１の機種の印刷装置３に使用される１の印刷メディアを提供する場合において、印刷メディアに、当該１の機種の印刷装置３と、当該１の印刷メディアとの組み合わせに対応する印刷メディア情報が記録されたＩＣタグを印刷メディアに取り付けた上で、印刷メディアを提供することができる。ＩＣタグは、印刷メディアの構成要素のうち、印刷装置３により消費されない構成要素に取り付けられる。例えば、印刷メディアがロール紙の場合において、ＩＣタグは、ロール紙の芯に取り付けられる。
読取部４３の読取装置は、ＩＣタグが取り付けられた印刷メディアが印刷装置３に装着された状態において、ＩＣタグと無線通信が可能な位置に設けられる。
【００８３】
ステップＳＤ２において、「印刷メディアにＩＣタグが取り付けられている」かつ「ＩＣタグに印刷メディア情報が記録されている」と判別した場合（ステップＳＤ２：ＹＥＳ）、印刷装置制御部４０は、処理手順をステップＳＤ３へ移行する。
ステップＳＤ３において、印刷装置制御部４０は、読取部４３を制御して、ＩＣタグから印刷メディア情報を読み取らせ、印刷メディア情報を取得する。ステップＳＤ３の処理後、印刷装置制御部４０は、処理手順をステップＳＤ７へ移行する。
【００８４】
ステップＳＤ２において、「印刷メディアにＩＣタグが取り付けられていない」又は「印刷メディアにＩＣタグが取り付けられているが印刷メディア情報が記録されていない」と判別した場合（ステップＳＤ２：ＮＯ）、印刷装置制御部４０は、処理手順をステップＳＤ４へ移行する。
ステップＳＤ４において、印刷装置制御部４０は、印刷装置通信部４１を制御して、印刷メディア情報応答要求情報を、制御装置５に送信する。
印刷メディア情報応答要求情報は、印刷装置３の機種の機種識別情報と、印刷装置３に装着されている印刷メディアの印刷メディア識別情報とを含む。印刷メディア情報応答要求情報は、機種識別情報の機種と、印刷メディア識別情報の印刷メディアとの組み合わせに対応する印刷メディア情報の送信を要求する情報である。
【００８５】
図１０のフローチャートＦＥに示すように、制御装置５の制御装置制御部３０は、制御装置通信部３１を制御して、印刷メディア情報応答要求情報を受信する（ステップＳＥ１）。
次いで、制御装置制御部３０は、制御装置記憶部３２が記憶するメディアテーブル３２ａを参照する（ステップＳＥ２）。
メディアテーブル３２ａは、ローカルエリアネットワークＬＮａに接続された印刷装置３のそれぞれについて、印刷装置３に装着可能な印刷メディアごとにレコードを有するデータベースである。
メディアテーブル３２ａの各レコードは、印刷装置識別情報と、機種識別情報と、印刷メディア識別情報と、印刷メディア情報とを有する。１の印刷装置３に装着可能な１の印刷メディアに対応するレコードは、当該１の印刷装置３の印刷装置識別情報、当該１の印刷装置３の機種の機種識別情報、当該１の印刷メディアの印刷メディア識別情報、及び、当該１の印刷装置の機種と当該１の印刷メディアとの組み合わせに対応する印刷メディア情報を有する。
図１１は、メディアテーブル３２ａの内容の一例を、説明に適した態様で示す図である。
図１１のメディアテーブル３２ａは、以下の場合のテーブルである。すなわち、ローカルエリアネットワークＬＮａに、印刷装置識別情報が「ａａａ」で、機種識別情報が「ＫＳ０１」の印刷装置３（以下、「第１印刷装置」という。）と、印刷装置識別情報が「ｂｂｂ」で、機種識別情報が「ＫＳ０２」の印刷装置３（以下、「第２印刷装置」という。）と、が接続される。第１印刷装置は、印刷メディア識別情報が「ＭＤ０１」の印刷メディア、及び、印刷メディア識別情報が「ＭＤ０２」の印刷メディアが装着可能である。第２印刷装置は、印刷メディア識別情報が「ＭＤ０２」の印刷メディア、及び、印刷メディア識別情報が「ＭＤ０３」の印刷メディアが装着可能である。
この場合、図１１に示すように、メディアテーブル３２ａは、第１印刷装置について、第１印刷装置に装着可能な印刷メディア識別情報：「ＭＤ０１」の印刷メディアに対応するレコードＲ１と、印刷メディア識別情報：「ＭＤ０２」の印刷メディアに対応するレコードＲ２とを有する。また、メディアテーブル３２ａは、第２印刷装置について、第２印刷装置に装着可能な印刷メディア識別情報：「ＭＤ０２」の印刷メディアに対応するレコードＲ３と、印刷メディア識別情報：「ＭＤ０３」の印刷メディアに対応するレコードＲ４とを有する。
【００８６】
なお、制御装置制御部３０は、適宜、メディアサーバー８と通信し、印刷装置３の機種と、印刷メディアとの組み合わせに対応する印刷メディア情報について、メディアリスト２２ａにおける印刷メディア情報と、メディアテーブル３２ａにおける印刷メディア情報との同期を取り、これら情報の内容の同一性を維持する。
また、本実施形態では、印刷装置３が、制御装置５に印刷メディア情報応答要求情報を送信し、制御装置５が当該情報に応答する構成であった。この点に関し、印刷装置３が、メディアサーバー８に印刷メディア情報応答要求情報を送信し、メディアサーバー８が当該情報に応答する構成でもよい。
【００８７】
図１０のフローチャートＦＥに示すように、ステップＳＥ２でメディアテーブル３２ａを参照した後、制御装置制御部３０は、印刷メディア情報応答要求情報に含まれる機種識別情報と印刷メディア識別情報との組み合わせと、メディアテーブル３２ａの各レコードが有する機種識別情報と印刷メディア識別情報との組み合わせとの突合により、対応するレコードを特定する。そして、制御装置制御部３０は、特定したレコードが有する印刷メディア情報を取得する（ステップＳＥ３）。
次いで、制御装置制御部３０は、制御装置通信部３１を制御して、ステップＳＥ３で取得した印刷メディア情報を、印刷装置３に送信する（ステップＳＥ４）。
【００８８】
図１０のフローチャートＦＤに示すように、印刷装置３の印刷装置制御部４０は、印刷装置通信部４１を制御して、印刷メディア情報を受信する（ステップＳＤ５）。
次いで、印刷装置制御部４０は、受信した印刷メディア情報を取得する（ステップＳＤ６）。ステップＳＤ６の処理後、印刷装置制御部４０は、処理手順をステップＳＤ７へ移行する。
【００８９】
ステップＳＤ７において、印刷装置制御部４０は、ステップＳＤ３で取得した印刷メディア情報、又は、ステップＳＤ６で取得した印刷メディア情報に基づいて設定処理を実行する。以下、ステップＳＤ３で取得した印刷メディア情報、又は、ステップＳＤ６で取得した印刷メディア情報を、「取得印刷メディア情報」という。取得印刷メディア情報は、印刷装置３の機種と、印刷装置３に装着された印刷メディアとの組み合わせに対応する印刷メディア情報である。
【００９０】
図１２のフローチャートＦＦは、設定処理の詳細を示すフローチャートである。
図１２のフローチャートＦＦに示すように、設定処理において、印刷装置制御部４０は、設定値テーブル４２ａを参照する（ステップＳＦ１）。
設定値テーブル４２ａは、印刷装置３に装着可能な印刷メディアのそれぞれについて、以下のレコードを有する。すなわち、設定項目ごとに、設定項目識別情報と、各設定値の候補と、各設定値の候補に割り振られた言葉情報とを対応付けたレコードを有する。なお、設定値の候補は、具体的な値である。
図１３は、設定値テーブル４２ａの内容の一例を、説明に適した態様で示す図である。
図１３の設定値テーブル４２ａは、以下の場合のテーブルである。すなわち、印刷装置３に、印刷メディア識別情報：「ＭＤ０１」の印刷メディアと、印刷メディア識別情報：「ＭＤ０２」の印刷メディアとを装着可能である。
図１３の設定値テーブル４２ａのレコードＲ５では、印刷メディア識別情報が「ＭＤ０１」の場合のプラテンギャップ項目について、プラテンギャップ項目の設定項目識別情報と、設定値の候補の１つ（図１３の例では、「１．０ミリ」。）と、当該設定値の候補に割り振られた言葉情報（図１３の例では、「狭い」。）とが対応付けられている。
また、図１３の設定値テーブル４２ａのレコードＲ６では、印刷メディア識別情報が「ＭＤ０１」の場合のテンション項目について、プラテンギャップ項目の設定項目識別情報と、設定値の候補の１つ（図１３の例では、「レベルＬ１」。）と、当該設定の候補に割り振られた言葉情報（図１３の例では、「弱い」。）とが対応付けられている。
【００９１】
ステップＳＦ１で設定値テーブル４２ａを参照した後、印刷装置制御部４０は、取得印刷メディア情報に基づいて、各設定項目に設定する設定値を特定する（ステップＳＦ２）。
以下、プラテンギャップ項目に設定する設定値を特定する場合を例にして、ステップＳＦ２の処理について詳述する。
印刷装置制御部４０は、取得印刷メディア情報に基づいて、当該情報に含まれる言葉情報のうち、プラテンギャップ項目に対応する言葉情報を特定する。上述したように、印刷メディア情報において、言葉情報は、予め定められた設定項目の順番に従って配列されているため、印刷装置制御部４０は、当該順番に応じて、プラテンギャップ項目に対応する言葉情報を特定する。次いで、印刷装置制御部４０は、設定値テーブル４２ａのレコードのうち、印刷装置３に装着された印刷メディアの印刷メディア識別情報と、プラテンギャップ項目の設定項目識別情報と、特定した言葉情報との組み合わせを有するレコードを特定する。なお、印刷装置制御部４０は、印刷装置３に装着された印刷メディアの印刷メディア識別情報を、所定の手段で取得する。例えば、印刷装置制御部４０は、ユーザーからの印刷装置３に装着された印刷メディアを指定する入力を受け付け、当該入力に基づいて印刷メディア識別情報を取得する。次いで、印刷装置制御部４０は、特定したレコードが有する設定値の候補を、プラテンギャップ項目に設定する設定値として特定する。
【００９２】
ステップＳＦ２において、各設定項目に設定する設定値を特定した後、印刷装置制御部４０は、設定ファイル４２ｂを参照し、設定項目のそれぞれについて、設定項目識別情報と対応付けて特定した設定値を記述し（ステップＳＦ３）、設定処理を終了する。ステップＳＦ３の処理により、設定項目への設定値の設定が完了する。
【００９３】
なお、本実施形態では、「印刷メディア情報を取得し、当該情報に含まれる言葉情報から設定値を決定し、設定項目に設定値を設定する処理（ステップＳＤ２〜ステップＳＤ７の一連の処理に対応する処理。）は、印刷メディアが印刷装置３に装着された上で、印刷が行われるタイミングで行われる。この点に関し、当該処理を、印刷メディアが印刷装置３に装着されたタイミングで行われるようにしてもよい。
【００９４】
以上のように、本実施形態では、設定値テーブル４２ａを印刷装置３が記憶しており、印刷装置制御部４０は、印刷装置３が記憶する設定値テーブル４２ａに基づいて、設定項目への設定を行う。このため、印刷装置３が外部の装置にアクセスして、設定値の設定のために必要な情報を取得する必要がなく、処理効率がよい。
【００９５】
図１０のフローチャートＦＤに示すように、ステップＳＤ７で設定処理を実行した後、印刷装置制御部４０は、印刷装置通信部４１を制御して、設定完了通知情報を画像処理装置６に送信する（ステップＳＤ８）。
設定完了通知情報は、印刷装置３の現時点の印刷モードを示す情報（以下、「印刷モード識別情報」という。）と、取得印刷メディア情報とを含む。設定完了通知情報は、設定項目への設定値の設定が完了したことを通知する情報である。
【００９６】
図１０のフローチャートＦＣに示すように、画像処理装置６の画像処理装置制御部５０は、画像処理装置通信部５１を制御して、設定完了通知情報を受信する（ステップＳＣ２）。
次いで、画像処理装置制御部５０は、ステップＳＣ２で受信した設定完了通知情報に含まれる印刷モード識別情報と、取得印刷メディア情報とに基づいて、ラスターデータを生成する画像処理を実行する場合に、使用すべきカラープロファイルのカラープロファイルインデックスを特定する（ステップＳＣ３）。上述したように、印刷メディア情報において、カラープロファイルインデックスは、予め定められた印刷モードの順番に従って配列されているため、画像処理装置制御部５０は、当該順番に応じて、印刷装置３の現時点の印刷モードに対応するカラープロファイルインデックスを特定する。
次いで、画像処理装置制御部５０は、画像処理装置通信部５１を制御して、カラープロファイル応答要求情報を制御装置５に送信する（ステップＳＣ４）。
カラープロファイル応答要求情報は、ステップＳＣ３で特定したカラープロファイルインデックスを含む。カラープロファイル応答要求情報は、当該情報が含むカラープロファイルインデックスのカラープロファイルの送信を要求する情報である。
【００９７】
図１０のフローチャートＦＥに示すように、制御装置５の制御装置制御部３０は、制御装置通信部３１を制御して、カラープロファイル応答要求情報を受信する（ステップＳＥ５）。
次いで、制御装置制御部３０は、制御装置記憶部３２が記憶するカラープロファイルテーブル３２ｂを参照する（ステップＳＥ６）。
カラープロファイルテーブル３２ｂは、カラープロファイルのそれぞれについて、カラープロファイルインデックスと、カラープロファイル（ファイル形式のカラープロファイルの実体。）と、を対応付けて記憶するデータベースである。
ここで、メディアサーバー８のサーバー記憶部２２は、カラープロファイル管理データベース２２ｂを記憶する。カラープロファイル管理データベース２２ｂは、カラープロファイルテーブル３２ｂと同様、カラープロファイルインデックスと、カラープロファイル（ファイル形式のカラープロファイルの実体。）とを対応付けて記憶するデータベースである。カラープロファイル管理データベース２２ｂが記憶するカラープロファイルの内容は、権限を有する者によって、所定の手段により、更新することが可能である。制御装置制御部３０は、適宜、メディアサーバー８と通信し、カラープロファイルテーブル３２ｂと、カラープロファイル管理データベース２２ｂとの同期を取り、カラープロファイルテーブル３２ｂが記憶するカラープロファイルのそれぞれと、カラープロファイル管理データベース２２ｂが記憶するカラープロファイルのそれぞれとの、内容の同一性を維持する。
【００９８】
次いで、制御装置制御部３０は、ステップＳＥ６で参照したカラープロファイルテーブル３２ｂにおいて、ステップＳＥ５で受信したカラープロファイル応答要求情報に含まれるカラープロファイルインデックスと対応付けられたカラープロファイルを取得する（ステップＳＥ７）。
次いで、制御装置制御部３０は、制御装置通信部３１を制御して、ステップＳＥ７で取得したカラープロファイルを、画像処理装置６に送信する（ステップＳＥ８）。
【００９９】
図１０のフローチャートＦＣに示すように、画像処理装置６の画像処理装置制御部５０は、画像処理装置通信部５１を制御して、カラープロファイルを受信する（ステップＳＣ５）。
次いで、画像処理装置制御部５０は、少なくともＲＩＰソフトウェアの機能により、ステップＳＣ５で受信したカラープロファイルを用いて、ラスターデータを生成する（ステップＳＣ６）。なお、ラスターデータを生成するために必要なデータは、事前に、ＲＩＰソフトウェアに入力されているものとする。ラスターデータを生成するために必要なデータは、例えば、文書作成ソフトウェアにより生成されたテキストを含む画像の画像データであり、また例えば、描画ソフトウェアにより生成されたグラフィック画像の画像データであり、また例えば、デジタルカメラにより撮影された撮影画像の画像データである。
【０１００】
ラスターデータを生成した後、画像処理装置制御部５０は、画像処理装置通信部５１を制御して、生成したラスターデータを印刷装置３に送信する（ステップＳＣ７）。
【０１０１】
図１０のフローチャートＦＤに示すように、印刷装置３の印刷装置制御部４０は、ラスターデータを受信する（ステップＳＤ９）。
次いで、印刷装置制御部４０は、ステップＳＤ９で受信したラスターデータに基づいて印刷部４４を制御して、印刷部４４に、印刷メディアに画像を印刷させる（ステップＳＤ１０）。上述したように、印刷装置制御部４０は、設定項目に設定された設定値を反映して、印刷を実行する。
【０１０２】
以上説明したように、本実施形態に係る情報処理システム１は、印刷装置３の機種と印刷対象となる印刷メディアとの組み合わせに対応する設定値を、印刷装置３の設定項目について設定し、印刷を実行する。情報処理システム１は、設定項目に設定可能な設定値の候補を、それぞれに対応する言葉情報（抽象化表現情報）と対応付けて記憶する設定値テーブル４２ａを有する。情報処理システム１は、印刷装置３の設定項目に設定値を設定する場合、言葉情報（抽象化表現情報）を含む印刷メディア情報に基づいて、設定値テーブル４２ａを利用して、設定項目に対応する設定値を決定し、決定した設定値を設定項目に設定する。
この構成によれば、印刷装置３の設定項目への設定値の設定に関する情報として、印刷装置３の機種と印刷メディアとの組み合わせごとに、設定項目に設定すべき具体的な設定値を管理する必要がなく、言葉情報を含む印刷メディア情報を管理すればよいため、印刷装置の機種と印刷メディアの組み合わせごとの、設定項目に設定すべき設定値に関する情報の管理が簡素化する。また、設定項目への設定値の設定を、印刷メディア情報に基づいて、設定値テーブル４２ａを利用して行うことができるため、例えば、ユーザーが、設定項目ごとに具体的な設定値を入力するといった作業が必要なく、設定項目への設定値の設定が簡易化する。
【０１０３】
また、本実施形態では、言葉情報は、設定項目ごとに、設定値の各候補に対して形容が異なる言葉が割り振られたものである。印刷メディア情報は、設定項目ごとに、印刷装置３の機種と印刷メディアとの組み合わせについて設定すべき設定値に対応する言葉情報を有している。情報処理システム１は、印刷メディア情報を構成する言葉情報から、設定値テーブル４２ａを利用して設定値を特定することにより、設定項目に対応する設定値を決定すること。
この構成によれば、印刷メディア情報に基づいて、設定値テーブル４２ａを利用して、的確に、設定項目に対応する設定値を決定することができる。
【０１０４】
また、本実施形態では、言葉情報は、設定項目に設定値を設定した場合における設定項目の状態の程度を文言によって形容したものである。
この構成によれば、人間が言葉情報を認識したときに、言葉情報に対応する設定値を設定項目に設定した場合における設定項目の状態の程度を、直感的、感覚的に認識できる。
【０１０５】
また、本実施形態では、設定値テーブル４２ａは、印刷装置３が記憶する（有する）。
この構成によれば、印刷装置３は、設定項目への設定値に際し、外部の装置にアクセスして必要な情報を取得する必要がなく、自身が記憶する設定値テーブル４２ａを利用して、設定項目への設定値を行うことができ、処理効率がよい。なおカラープロファイルテーブル３２ｂおよび設定値テーブル４２ａは制御装置５やメディアサーバー８が記憶していてもよい。
【０１０６】
また、本実施形態では、印刷メディア情報は、印刷メディアに読み取り可能な状態で記録された状態とすることができる。
この構成によれば、印刷装置３は、印刷メディアから印刷メディア情報を読み取ることにより、印刷メディア情報を取得することができる。これにより、例えば、印刷装置３は、外部の装置にアクセスして印刷メディア情報を取得する必要がなく処理効率がよいと共に、ユーザーは印刷メディア情報を入力する等の作業を行う必要がなく、ユーザーの利便性が高い。
【０１０７】
また、本実施形態では、印刷メディア情報は、印刷メディアの構成要素のうち、印刷装置３により消費されない構成要素に取り付けられたＩＣタグに記録されている。
この構成によれば、印刷装置３は、印刷装置３に実際に装着された印刷メディアに取り付けられたＩＣタグから、印刷メディア情報を的確に取得することができる。
【０１０８】
また、本実施形態では、印刷メディア情報は、印刷装置３とグローバルネットワークを介して通信可能なメディアサーバー８（サーバー）が有する。
この構成によれば、メディアサーバー８は、必要に応じて、印刷メディア情報を、メディアサーバー８と通信可能な装置に提供することができる。
【０１０９】
また、本実施形態では、文字情報から設定値を決定し、決定した設定値を設定項目に設定する処理は、印刷メディアが印刷装置３に装着された上で、印刷が行われる際に行われる。
この構成によれば、印刷が行われる前に、印刷装置３の設定項目に、実際に印刷が行われる印刷メディアに対応した適切な設定値を設定することができる。
【０１１０】
また、本実施形態において、印刷メディア情報に含まれる言葉情報から設定値を決定し、決定した設定値を設定項目に設定する処理は、印刷メディアが印刷装置３に装着されたタイミングで行われてもよい。
この構成によれば、印刷装置３に装着する印刷メディアが交換されたときに、印刷装置３の設定項目に、交換後の印刷メディアに対応した適切な設定値を設定することができる。
【０１１１】
また、本実施形態において、設定項目には、印刷装置３による印刷メディアへの印刷に供する機構に関する項目が含まれる。
この構成によれば、印刷装置３による印刷メディアへの印刷に供する機構に関する項目について、的確に設定値を設定することができる。
【０１１２】
また、本実施形態において、設定項目には、印刷装置３へ出力するラスターデータ（印刷データ）を生成する画像処理装置６が、ラスターデータを生成する際に実行する画像処理に関する項目が含まれる。
この構成によれば、画像処理装置６がラスターデータを生成する際に実行する画像処理に関する項目について、的確に設定値を設定することができる。
【０１１３】
＜第２実施形態＞
次いで、第２実施形態について説明する。
上述した第１実施形態では、印刷メディア情報の第１領域Ａ１には、言葉情報が、予め定められた設定項目の順番で配列されて構成されていた。一方、第２実施形態では、印刷メディア情報の第１領域Ａ１には、言葉情報に代えて、設定値インデックス（インデックス）が、予め定められた設定項目の順番で配列される。
設定値インデックスは、設定値の候補のそれぞれについて、事前に割り振られた文字であり、設定値の候補を表すインデックスとして機能する。インデックスは、一例として、１又は複数のアルファベットからなる文字（例えば、「Ａ」や、「Ｂ」、「ＸＸ」等。）であり、また、例えば、１又は複数の数字からなる文字（例えば、「１」や、「２」、「１０」等。）である。１つの設定項目の設定値の候補のそれぞれに割り振られる設定値インデックスのそれぞれは、異なる文字とされる。
例えば、プラテンギャップ項目の設定値の候補として、「１．０ミリ」、「３．０ミリ」、「５．０ミリ」、「７．０ミリ」、及び、「９．０ミリ」がある場合において、設定値の候補：「１．０ミリ」に対して設定値インデックスとして「Ａ」が割り振られ、設定値の候補：「３．０ミリ」に対して設定値インデックスとして「Ｂ」が割り振られ、設定値の候補：「５．０ミリ」に対して設定値インデックスとして「Ｃ」が割り振られ、設定値の候補：「７．０ミリ」に対して設定値ンデックスとして「Ｄ」が割り振られ、設定値の候補：「９．０ミリ」に対して設定値インデックスとして「Ｅ」が割り振られる。
【０１１４】
設定値インデックスは、設定値の候補を、具体的な値ではなく、抽象化して表現する情報であり、「抽象化表現情報」に相当する。
【０１１５】
図１４は、本実施形態に係る印刷メディア情報の一例を示す図である。
図１４で例示する印刷メディア情報の第１領域Ａ１には、プラテンギャップ項目、テンション項目、吸引力項目、ヒーター温度項目の順番で、各設定項目に対応する設定値インデックスが、区切文字で区切られることなく、配列されている。より詳細には、図１４で例示する印刷メディア情報において、１文字目の文字：「Ａ」は、プラテンギャップ項目の設定値の候補に割り振られた設定値インデックスであり、２文字目の文字：「α」は、テンション項目の設定値の候補に割り振られた設定値インデックスであり、３文字目の文字：「３」は、吸引力項目の設定値の候補に割り振られた設定値インデックスであり、４文字目の文字：「ｂ」は、ヒーター温度項目の設定値の候補の割り振られた設定値インデックスである。
【０１１６】
印刷メディア情報について、設定値インデックスを予め定められた順番で配列して構成した場合も、言葉情報を予め定められた順番で配列して構成した場合と同様の効果を奏する。すなわち、設定値の候補に割り振られた設定値インデックス、及び、印刷メディア情報における設定項目の順番を知る人間が、１の機種の印刷装置３と、１の印刷メディアとの組み合わせに印刷メディア情報を認識したときに、当該１の機種の印刷装置３の設定項目に設定すべき設定値の態様を、感覚的、直感的に認識でき、また、印刷メディアの特性を推測することができる。また、印刷メディア情報は、設定値インデックスが予め定められた順番に従って配列されるという単純な構造のため、設定値インデックスを規格化し、設定値インデックスが並ぶ順番を規格化することによって、印刷メディア情報を規格化することができ、規格化に有利である。
【０１１７】
第２実施形態では、印刷メディア情報のメディアリスト２２ａへの登録は、第１実施形態と同様の方法で行われる。
【０１１８】
図１５は、第２実施形態に係る設定値テーブル４２ａの内容の一例を、説明に適した態様で示す図である。
図１５で例示する設定値テーブル４２ａの内容は、図１３で例示した設定値テーブル４２ａの内容に対応する。
図１３と、図１５との比較で明らかなとおり、第２実施形態では、設定値テーブル４２ａの各レコードにおいて、言葉情報に代えて、設定値インデックスが、設定値の候補と対応付けられる。
第２実施形態では、印刷装置３の設定項目への設定値の設定は、第１実施形態と同様の方法で行われる。すなわち、印刷装置３は、図１５で例示した設定値テーブル４２ａのように、設定値インデックスと、設定値の候補とが対応付けられた設定値テーブル４２ａを用いて、設定項目への設定値の設定を実行する。
【０１１９】
以上説明したように、第２実施形態では、印刷メディア情報に含まれる設定値インデックスは、設定項目ごとに、設定値の各候補に対して異なる文字で表現されたインデックスが割り振られたものである。印刷メディア情報は、設定項目ごとに、印刷装置３の機種と印刷メディアとの組み合わせについて設定すべき設定値に対応する設定値インデックスを有している。印刷装置３は、印刷メディア情報を構成する設定値インデックスから、設定値テーブル４２ａを利用して設定値を特定することにより、設定項目に対応する設定値を決定する。
この構成によれば、印刷メディア情報に基づいて、設定値テーブル４２ａを利用して、的確に、設定項目に対応する設定値を決定することができる。
【０１２０】
＜第３実施形態＞
次に、第３実施形態について説明する。
第３実施形態に係る印刷メディア情報の内容は、第２実施形態に係る印刷メディア情報の内容と同一である。すなわち、第３実施形態に係る印刷メディアの第１領域Ａ１には、設定値インデックスが、予め定められた設定項目の順番で配列される。
また、第３実施形態に係る設定値テーブル４２ａの内容は、第１実施形態に係る設定値テーブル４２ａの内容と同一である。すなわち、第３実施形態に係る設定値テーブル４２ａの各レコードでは、言葉情報と、設定値の候補とが対応付けられる。
【０１２１】
また、第３実施形態では、メディアサーバー８のサーバー記憶部２２は、抽象化表現対応テーブル２２ｂを記憶する。
図１６は、抽象化表現対応テーブル２２ｂの内容の一例を、説明に適した態様で示す図である。
抽象化表現対応テーブル２２ｂは、印刷装置３の機種と、印刷メディアとの組み合わせのそれぞれについて、以下のレコードを有する。すなわち、設定項目ごとに、設定値の候補に割り振られた設定値インデックスのそれぞれと、設定値の候補に割り振られた言葉情報のそれぞれとを対応付けたレコードを有する。なお、設定値の候補は、具体的な値である。
図１６に示すように、抽象化表現対応テーブル２２ｂの１件のレコードは、機種識別情報と、印刷メディア識別情報と、設定項目識別情報と、設定値インデックスと、言葉情報とを有する。
【０１２２】
第３実施形態では、設定項目への設定値の設定に際し、印刷装置３は、以下の処理を実行する。
すなわち、印刷装置３の印刷装置制御部４０は、第１実施形態と同様の方法で、印刷メディア情報を取得する。第１実施形態で説召したように、印刷装置制御部４０は、ＩＣタグから印刷メディア情報を読み取ることにより印刷メディア情報を取得し、また、制御装置５に問い合わせることによって印刷メディア情報を取得する。ここで取得した印刷メディア情報は、言葉情報ではなく、設定値インデックスを含む情報である。以下、設定インデックスを含んで構成される印刷メディア情報を、便宜的に、第１印刷メディア情報という。
【０１２３】
次いで、印刷装置制御部４０は、印刷装置通信部４１を制御して、印刷メディア情報変換要求情報を、メディアサーバー８に送信する。印刷メディア情報変換要求情報は、第１印刷メディア情報と、印刷装置３の機種の機種識別情報と、印刷装置３に装着された印刷メディアの印刷メディア識別情報とを含む。印刷メディア情報変換要求情報は、第１印刷メディア情報を、言葉情報を含んで構成される印刷メディア情報（以下、便宜的に、「第２印刷メディア情報」という。）に変換し、送信することを要求する情報である。
【０１２４】
メディアサーバー８のサーバー制御部２０は、サーバー通信部２１を制御して、印刷メディア情報変換要求情報を受信する。
次いで、サーバー制御部２０は、抽象化表現対応テーブル２２ｂを参照し、当該テーブルに基づいて、受信した印刷メディア情報変換要求情報に含まれる第１印刷メディア情報を、第２印刷メディア情報に変換する。上述したように、抽象化表現対応テーブル２２ｂでは、印刷装置３の機種と、印刷メディアとの組み合わせのそれぞれについて、設定項目ごとに、設定値の候補に割り振られた設定値インデックスのそれぞれと、設定値の候補に割り振られた言葉情報のそれぞれとが対応付けられている。このため、サーバー制御部２０は、抽象化表現対応テーブル２２ｂ、及び、印刷メディア情報変換要求情報に含まれる情報に基づいて、第１印刷メディア情報を、第２印刷メディア情報に変換することができる。
第１印刷メディア情報を、第２印刷メディア情報に変換した後、サーバー制御部２０は、サーバー通信部２１を制御して、第２印刷メディア情報を、印刷装置３に送信する。
【０１２５】
印刷装置３の印刷装置制御部４０は、印刷装置通信部４１を制御して、第２印刷メディア情報を受信する。
次いで、印刷装置制御部４０は、図１２のフローチャートＦＦを用いて説明した設定処理を行って、設定項目に設定値を設定する。
【０１２６】
以上説明したように、第３実施形態では、印刷メディア情報は、設定項目ごとに、印刷装置３の機種と印刷メディアとの組み合わせについて設定すべき設定値に対応するインデックスを有している。設定値テーブル４２ａは、言葉情報と対応付けて設定値を記憶する。情報処理システム１は、設定値インデックスと対応づけて言葉情報を記憶する抽象化表現対応テーブル２２ｂを有する。情報処理システム１は、印刷メディア情報を構成する設定値インデックスから、抽象化表現対応テーブル２２ｂを利用して言葉情報を特定し、設定値テーブル４２ａを利用して、特定した言葉に対応する設定値を特定することにより、設定項目に対応する設定値を決定する。
この構成によれば、抽象化表現対応テーブル２２ｂ、及び、設定値テーブル４２ａを利用して、設定値インデックスを含んで構成される印刷メディア情報に基づいて、的確に、印刷装置３の設定項目に設定値を設定することができる。
【０１２７】
また、第３実施形態では、抽象化表現対応テーブル２２ｂは、印刷装置３とグローバルネットワークＧＮ（ネットワーク）を介して通信可能なメディアサーバー８が記憶する（有する）。
この構成によれば、メディアサーバー８により、印刷装置３の機種と、印刷メディアとの組み合わせごとの、設定値インデックスと言葉情報との対応関係を集中的に管理できる。
なお、第３実施形態では、抽象化表現対応テーブル２２ｂをメディアサーバー８が記憶する構成であるが、抽象化表現対応テーブル２２ｂは、印刷装置３と通信可能な装置が記憶すればよい。また、抽象化表現対応テーブル２２ｂを印刷装置３が記憶する構成でもよい。
【０１２８】
なお、上述した実施の形態は、あくまでも本発明の一態様を示すものであり、本発明の範囲内で任意に変形および応用が可能である。
例えば、印刷装置３がＬＦＰである場合を例として実施形態を説明したが、印刷装置３は、ＬＦＰに限らない。また、印刷装置３がインクジェットプリンターである場合を例として実施形態を説明したが、印刷装置３の印刷方式はインクジェット方式に限らない。すなわち、印刷装置３は、印刷メディアに印刷する機能を有する装置であればよい。
また、上述した実施形態では、設定項目への設定値の設定に関し、設定ファイル４２ｂに設定値を記述する場合を例にして実施形態を説明したが、設定項目への設定値の設定は、設定ファイル４２ｂへの設定値の記述に限らない。例えば、印刷装置３を制御する所定のプログラムの変数に、設定値を書き込むことでもよい。
また、図を用いて説明した機能ブロックは、本願発明を理解容易にするために、各装置の機能構成を主な処理内容に応じて分類して示した概略図である。各装置の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。また、各構成要素の処理は、１つのプログラムで実現されてもよいし、複数のプログラムで実現されてもよい。
また、図で示したフローチャートの処理単位は、各装置の処理を理解容易にするために、主な処理内容に応じて分割したものである。処理単位の分割の仕方や名称によって、本願発明が制限されることはない。各装置の処理は、処理内容に応じて、さらに多くの処理単位に分割することもできる。また、１つの処理単位がさらに多くの処理を含むように分割することもできる。また、同様の処理が行えれば、上記のフローチャートの処理順序も、図示した例に限られるものではない。
【符号の説明】
【０１２９】
１…情報処理システム、２…印刷システム、３…印刷装置、４ａ…通信装置、４ｂ…通信装置、５…制御装置、６…画像処理装置、８…メディアサーバー、１０…メディア提供システム、１１…端末、２２ｂ…抽象化表現対応テーブル、４２ａ…設定値テーブル、４２ｂ…設定ファイル、４２ｃ…ファームウェア。
【図１】
2018140551.tif 000003
【図２】
2018140551.tif 000004
【図３】
2018140551.tif 000005
【図４】
2018140551.tif 000006
【図５】
2018140551.tif 000007
【図６】
2018140551.tif 000008
【図７】
2018140551.tif 000009
【図８】
2018140551.tif 000010
【図９】
2018140551.tif 000011
【図１０】
2018140551.tif 000012
【図１１】
2018140551.tif 000013
【図１２】
2018140551.tif 000014
【図１３】
2018140551.tif 000015
【図１４】
2018140551.tif 000016
【図１５】
2018140551.tif 000017
【図１６】
2018140551.tif 000018